(57)【要約】      （修正有）【課題】庫内灯の組み付けに係る作業工数を低減出来る庫内灯を備えた貯蔵庫を提供する。【解決手段】貯蔵室１６を有する箱状の貯蔵庫本体と、貯蔵庫本体に対して取り付けられ、貯蔵室１６を開閉可能な扉１３と、貯蔵室１６に配される庫内灯３０と、を備え、庫内灯３０は、扉１３側を向く一方の面３１Ａと、扉１３と反対側を向く他方の面３１Ｂと、を有する基板３１と、一方の面３１Ａに設けられた赤外線センサ４０と、他方の面３１Ｂに設けられたＬＥＤ３３と、を備えることに特徴を有する。【選択図】図３
2020046162.tif 000002
【特許請求の範囲】
【請求項１】
貯蔵室を有する箱状の貯蔵庫本体と、
前記貯蔵庫本体に対して取り付けられ、前記貯蔵室を開閉可能な扉と、
前記貯蔵室に配される庫内灯と、を備え、
前記庫内灯は、
前記扉側を向く一方の面と、前記扉と反対側を向く他方の面と、を有する基板と、
前記一方の面に設けられた赤外線センサと、
前記他方の面に設けられた光源と、を備える貯蔵庫。
【請求項２】
前記庫内灯は、前記貯蔵室を構成する壁部の壁面に設けられ、
前記光源は、前記他方の面における前記貯蔵室の中心側の端部に配されている請求項１に記載の貯蔵庫。
【発明の詳細な説明】
【技術分野】
【０００１】
本発明は、貯蔵庫に関する。
【背景技術】
【０００２】
従来、貯蔵庫として、扉を開いたことを検知して、庫内灯を点灯させる構成のものが知られている。特許文献１には、扉側にマグネットが設けられ、貯蔵庫本体（冷蔵庫本体）側にリードスイッチが設けられている構成が記載されている。特許文献１の構成では、扉が開かれるとマグネットがリードスイッチから遠ざかることでリードスイッチが作動し、扉が開いたことを検知することができる。
【先行技術文献】
【特許文献】
【０００３】
【特許文献１】特開２００１−２４８９６２号公報
【発明の概要】
【発明が解決しようとする課題】
【０００４】
上記構成においては、リードスイッチと庫内灯をそれぞれ貯蔵庫本体に対して組み付ける必要があり、作業工数が多くなってしまう。このため庫内灯の組み付けに係る作業工数をより低減することが求められている。
【０００５】
本発明は上記のような事情に基づいて完成されたものであって、庫内灯の組み付けに係る作業工数を低減することを目的とする。
【課題を解決するための手段】
【０００６】
上記課題を解決するために、本発明の貯蔵庫は、貯蔵室を有する箱状の貯蔵庫本体と、前記貯蔵庫本体に対して取り付けられ、前記貯蔵室を開閉可能な扉と、前記貯蔵室に配される庫内灯と、を備え、前記庫内灯は、前記扉側を向く一方の面と、前記扉と反対側を向く他方の面と、を有する基板と、前記一方の面に設けられた赤外線センサと、前記他方の面に設けられた光源と、を備えることに特徴を有する。
【０００７】
上記構成によれば、扉が開くことで赤外線センサの検知可能領域内の温度（赤外線量）が変化することから、この温度変化を赤外線センサによって検知することで扉が開いたことを検知することができる。これにより、扉が開いたことを検知して光源を点灯させることができる。上記構成では、赤外線センサ及び光源が共通の基板に設けられており、赤外線センサ及び光源を一つの部品として取り扱うことができる。このため、例えば赤外線センサと光源とが異なる箇所に配されている構成と比べて、組み付けに係る作業工数を低減することができる。また、他方の面に設けられている光源は、扉側から貯蔵室内を照らすことができる。このため、貯蔵室の前部（比較的扉に近い側）に庫内灯を配することができ、庫内灯の組み付けやメンテナンスを容易に行うことができる。
【０００８】
また、前記庫内灯は、前記貯蔵室を構成する壁部の壁面に設けられ、前記光源は、前記他方の面における前記貯蔵室の中心側の端部に配されているものとすることができる。光源から貯蔵室の中心に向かう光が基板によって遮られる事態を抑制でき、より確実に貯蔵室内を照らすことができる。
【発明の効果】
【０００９】
本発明によれば、庫内灯の組み付けに係る作業工数を低減することができる。
【図面の簡単な説明】
【００１０】
【図１】本発明の一実施形態に係る冷却貯蔵庫を示す正面図
【図２】冷却貯蔵庫を示す斜視図
【図３】冷却貯蔵庫において扉付近を示す断面図
【図４】庫内灯を示す斜視図
【図５】庫内灯を示す分解斜視図
【図６】庫内灯を示す正面図（扉側から視た図）
【図７】庫内灯を示す断面図（図６のＶＩＩ−ＶＩＩ線で切断した図に対応）
【図８】貯蔵室を示す断面図
【発明を実施するための形態】
【００１１】
本発明の一実施形態を図１から図７によって説明する。本実施形態では、図１に示すように、貯蔵庫として２ドア式の横型（テーブル型）の冷却貯蔵庫１０を例示する。冷却貯蔵庫１０は、図１に示すように、横長の箱状をなす貯蔵庫本体１１（断熱箱体）と、貯蔵庫本体１１の側方（左側）に配される機械室１２と、一対の扉１３，１３（断熱扉）と、冷却貯蔵庫１０の天面を構成する天板１５と、を備える。以下の説明では、扉１３側を前側、扉１３とは反対側を後側とし、前後方向をＹ軸方向とする。また、冷却貯蔵庫１０を前側から視た状態における左右方向を冷却貯蔵庫１０の左右方向（Ｘ軸方向）とし、冷却貯蔵庫１０の高さ方向をＺ軸方向とする。
【００１２】
貯蔵庫本体１１は、図３に示すように、外装板１４と内装板１９の間に発泡樹脂等の断熱材（図示せず）が充填されることで構成されている。貯蔵庫本体１１は、前方に開口された開口部１６Ａを有する箱体であり、開口部１６Ａと連通する貯蔵室１６を有している。また、貯蔵室１６の左側には冷却ダクト１７を介して図示しない冷却器室が設けられ、冷却器室には冷却器や冷却ファン等が収容されている。冷却ファンが駆動することで冷却器室と貯蔵室１６との間で空気を循環させることができ、冷却器で生成された冷気が貯蔵室１６に供給される構成となっている。一対の扉１３，１３は観音開き式の扉であり、各扉１３は、それぞれ上下一対のヒンジ１８，１８を介して貯蔵庫本体１１に対して回動可能に取り付けられている。これにより、扉１３は、貯蔵室１６を開閉可能な構成となっている。また、開口部１６Ａはセンターピラー２１（図１参照、図２では図示省略）によって左右に仕切られている。
【００１３】
図２に示すように、貯蔵室１６の天井面には庫内灯３０が配されている。庫内灯３０は、貯蔵室１６の前部に配されている。庫内灯３０は、図７に示すように、左右方向に長い基板３１と、基板３１を収容するケース５０と、ＬＥＤ３３（光源）と、赤外線センサ４０と、を備える。基板３１は、後方（庫内側）に向かうにつれて下降傾斜する姿勢で配されており、扉１３側（前側）を向く一方の面３１Ａと、扉１３と反対側（後側）を向く他方の面３１Ｂと、を有する。より詳しくは、一方の面３１Ａは、扉１３に向かうにつれて下降傾斜する方向に向いており、他方の面３１Ｂは、扉１３から遠ざかるにつれて上昇傾斜する方向に向いている。赤外線センサ４０は一方の面３１Ａに設けられ、ＬＥＤ３３は他方の面３１Ｂに設けられている。また、庫内灯３０は、図３に示すように、貯蔵室１６の天井面２４（貯蔵室を構成する壁部の壁面）に設けられている。なお、貯蔵室１６の天井面２４は、内装板１９（貯蔵室を構成する壁部）によって構成されている。ＬＥＤ３３は、図７に示すように、他方の面３１Ｂにおける貯蔵室１６の中心側（図７では右下側）の端部に配されている。なお、図８では、貯蔵室１６の中心Ｐ１（庫内中心）を図示している。
【００１４】
赤外線センサ４０は、焦電型の赤外線センサとされ、図７に示すように、基板３１に実装される焦電素子４１（センサ素子）と、焦電素子４１の周囲を囲む周壁部４２と、焦電素子４１を前方から覆う半球状のレンズ４３と、を備える。レンズ４３の周端部には全周に亘って延びる突起部４５（フランジ部）が設けられている。赤外線センサ４０は、検知可能領域内の赤外線量の変化に基づいて扉１３が開いたことを検知することが可能となっている。具体的には赤外線センサ４０は、前方（扉１３側）を向く形で配されており、赤外線センサ４０の検知可能領域は、赤外線センサ４０の前方の領域を含むものとされる。これにより、扉１３が閉状態から開状態になると、赤外線センサ４０の検知可能領域内の温度（赤外線量）が変化することから、この温度変化を赤外線センサ４０によって検知することで、扉１３が開いたことを検知することができる。赤外線センサ４０及びＬＥＤ３３はそれぞれ制御基板である基板３１に対して電気的に接続されており、赤外線センサ４０によって扉１３が開いたことが検知されるとＬＥＤ３３が点灯する構成となっている。また、基板３１は、制御部２２と電気的に接続されており、制御部２２は、赤外線センサ４０によって扉１３が開いたことが検知されると冷却ファンを停止させる等の制御を行う。なお、制御部２２は、例えば機械室１２に配されているがこれに限定されない。
【００１５】
ケース５０は、図４及び図５に示すように、左右方向に長い箱状をなしており、側面視においては略三角形状をなしている（図７の断面図参照）。ケース５０は、遮光性を有する部材によって構成された第１ケース構成部材５１と、透光性を有する部材によって構成された第２ケース構成部材５２と、遮光性を有する部材によって構成された第３ケース構成部材５３と、を備える。第１ケース構成部材５１は、貯蔵室１６の天井面を構成する内装板１９（図６参照）に取り付けられる台座部５４と、台座部５４の前端に設けられ、後方に向かうにつれて下降傾斜する形で延びる前側壁部５８と、を備える。
【００１６】
台座部５４の裏面において左右方向の両端部には、取付爪５５がそれぞれ設けられている。図６に示すように、内装板１９の上面において取付爪５５に対応する箇所には、補強板２０が設けられている。内装板１９には貫通孔１９Ａが貫通形成され、補強板２０には貫通孔２０Ａが貫通形成されている。取付爪５５は、貫通孔１９Ａ及び貫通孔２０Ａに対して下方から挿通された後、補強板２０における貫通孔２０Ａの孔縁部に対して上方から係止する構成となっている。なお、補強板２０を備えていなくてもよく、取付爪５５が内装板１９における貫通孔１９Ａの孔縁部に対して上方から直接的に係止する構成であってもよい。
【００１７】
また、図５に示すように、台座部５４には、基板３１から引き出された配線２３（図７参照）をケース５０外に引き出すための配線取出口５６が形成されている。台座部５４には、図５に示すように、一対の挿通孔５４Ａ，５４Ａが形成されている。挿通孔５４Ａに挿通されたねじ６３は、第２ケース構成部材５２に設けられた取付ボス６４に締結されている。
【００１８】
図５に示すように、第２ケース構成部材５２は、ＬＥＤ３３を主に後方から覆うカバー部５７を備える。カバー部５７は透光性を有しており、ＬＥＤ３３の光はカバー部５７を通じてケース５０外に出射可能となっている。これにより、ＬＥＤ３３からの出射光は、主に後方に向かうことになり、貯蔵室１６内を照らすことができる。なお、カバー部５７は、例えば透過する光を拡散させる構成となっている。第２ケース構成部材５２は、上方に開口された開口部５２Ａと、前方に開口された開口部５２Ｂと、を有しており、開口部５２Ａは、第１ケース構成部材５１の台座部５４によって塞がれ、開口部５２Ｂは、第１ケース構成部材５１の前側壁部５８によって塞がれている。
【００１９】
ケース５０は、図４に示すように、赤外線センサ４０が挿通される円形状の貫通孔５０Ａを有する。第３ケース構成部材５３は、第２ケース構成部材５２に対して固定されており、第１ケース構成部材５１と共に貫通孔５０Ａを構成する。なお、第３ケース構成部材５３が第２ケース構成部材５２と一体的に形成されていてもよい。赤外線センサ４０は、貫通孔５０Ａの孔縁部によって保持されている。図５に示すように、第１ケース構成部材５１の前側壁部５８において左右方向の中央部には、下方に開口された凹部５９が形成され、凹部５９の底部には、下方に開口された半円弧状をなす貫通孔構成部６０が形成されている。貫通孔構成部６０は、貫通孔５０Ａの上半分を構成するものとされる。
【００２０】
図５に示すように、第３ケース構成部材５３は、カバー部５７の前端部のうち左右方向の中央部から上方に延び、第１ケース構成部材５１の凹部５９を塞ぐ板状をなしている。第３ケース構成部材５３は、上方に開口された半円弧状をなす貫通孔構成部６１を有している。貫通孔構成部６１は、貫通孔５０Ａの下半分を構成するものとされる。
【００２１】
貫通孔５０Ａの内周面（貫通孔構成部６０の下面及び貫通孔構成部６１の上面）には、全周に亘って溝部６２が形成されている。より詳しくは、溝部６２は、貫通孔構成部６０の下面に形成された溝部６２Ａと、貫通孔構成部６１の上面に形成された溝部６２Ｂによって構成されている。溝部６２（溝部６２Ａ及び溝部６２Ｂ）には、図７に示すように、赤外線センサ４０のレンズ４３に設けられた突起部４５が嵌合される。これにより、貫通孔構成部６０及び貫通孔構成部６１によって赤外線センサ４０を挟み込むことで赤外線センサ４０を保持することが可能となっている。
【００２２】
次に本実施形態の効果について説明する。上記構成によれば、扉１３が開くことで赤外線センサ４０の検知可能領域内の温度（赤外線量）が変化することから、この温度変化を赤外線センサ４０によって検知することで扉１３が開いたことを検知することができる。これにより扉１３が開いたことを検知してＬＥＤ３３を点灯させることができる。上記構成では、赤外線センサ４０及びＬＥＤ３３が共通の基板３１に設けられている。このため、赤外線センサ４０及びＬＥＤ３３を一つの部品として取り扱うことができるので、例えば赤外線センサ４０とＬＥＤ３３とが異なる箇所に配されている構成と比べて、組み付けに係る作業工数を低減することができる。また、他方の面３１Ｂに設けられているＬＥＤ３３は、扉１３側から貯蔵室１６内を照らすことができる。このため、貯蔵室１６の前部（比較的扉に近い側）に庫内灯３０を配することができ、庫内灯３０の組み付けやメンテナンスを容易に行うことができる。
【００２３】
また、赤外線センサ４０とＬＥＤ３３とを別々の箇所に配置した場合、赤外線センサ４０とＬＥＤ３３の各々に対応して基板をそれぞれ備える必要がある。本実施形態では、赤外線センサ４０とＬＥＤ３３とを基板３１の表裏にそれぞれ配置することで基板の枚数を削減することができる。
【００２４】
なお、仮にリードスイッチを用いて扉１３が開いたことを検知する場合には、リードスイッチを扉１３に設けられたマグネットに近接させて配置する必要がある。このため、リードスイッチは貯蔵室１６に配することが困難であり、庫内灯３０と一体化させることは困難である。これに対して赤外線センサ４０は、扉１３から距離を離して配置した場合であっても、扉１３が開いたことを検知することが可能である。このため、赤外線センサ４０は、貯蔵室１６に配することが可能であり、庫内灯３０と一体化させることができる。
【００２５】
また、庫内灯３０は、基板３１を収容するケース５０を備え、ケース５０は赤外線センサ４０が挿通される貫通孔５０Ａを有し、赤外線センサ４０は、貫通孔５０Ａの内周面に形成された溝部６２に嵌合される突起部４５を備える。赤外線センサ４０を貫通孔５０Ａに挿通することで、赤外線センサ４０をケース５０外に露出させることができる。そして、突起部４５を溝部６２に嵌合させることで、赤外線センサ４０を貫通孔５０Ａ内で保持することができる。このため、赤外線センサ４０を介して基板３１を保持することができ、基板３１をケース５０内で保持するための専用部材を削減することが可能となる。
【００２６】
また、庫内灯３０は、貯蔵室１６の天井面２４に設けられ、ＬＥＤ３３は、基板３１の他方の面３１Ｂにおける貯蔵室１６中心側の端部に配されている。ＬＥＤ３３から貯蔵室１６の中心に向かう光が基板３１によって遮られる事態を抑制でき、より確実に貯蔵室１６内を照らすことができる。
【００２７】
＜他の実施形態＞
本発明は上記記述及び図面によって説明した実施形態に限定されるものではなく、例えば次のような実施形態も本発明の技術的範囲に含まれる。
（１）上記実施形態では、貯蔵室１６の天井面に庫内灯３０が設けられている構成を例示したが、これに限定されない。例えば、庫内灯３０は貯蔵室１６の側面に設けられていてもよい。
（２）光源はＬＥＤに限定されず、適宜変更可能である。また、赤外線センサ４０は焦電型以外の赤外線センサを用いてもよく、例えば、センサ素子としてサーモパイルを備える赤外線センサを用いてもよい。
（３）上記実施形態では、貯蔵庫として冷却貯蔵庫を例示したが、これに限定されない。
【符号の説明】
【００２８】
１０…冷却貯蔵庫（貯蔵庫）、１１…貯蔵庫本体、１３…扉、１６…貯蔵室、２４…天井面（貯蔵室を構成する壁部の壁面）、３０…庫内灯、３１…基板、３１Ａ…一方の面、３１Ｂ…他方の面、３３…ＬＥＤ（光源）、４０…赤外線センサ、Ｐ１…貯蔵室１６の中心
【図１】
2020046162.tif 000003
【図２】
2020046162.tif 000004
【図３】
2020046162.tif 000005
【図４】
2020046162.tif 000006
【図５】
2020046162.tif 000007
【図６】
2020046162.tif 000008
【図７】
2020046162.tif 000009
【図８】
2020046162.tif 000010